(57)【要約】【課題】表示装置に対して立体映像用眼鏡が傾いた場合でも画面が暗くなることを防ぐことのできる立体映像用眼鏡を提供する。【解決手段】立体映像用眼鏡は、表示装置に表示された立体映像用の映像を分離して視聴者の右目に右目用映像を入射する右目用偏光板と、前記表示装置に表示された前記立体映像用の映像を分離して視聴者の左目に左目用映像を入射する左目用偏光板と、前記右目用偏光板と前記左目用偏光板を該偏光板の面の法線に平行な直線を回転軸として該偏光板を周方向にそれぞれ回転させる回転手段とを有する。【選択図】図１
2012032642.tif 000002
【特許請求の範囲】
【請求項１】
表示装置に表示された立体映像用の映像を分離して視聴者の右目に右目用映像を入射する右目用偏光板と、
前記表示装置に表示された前記立体映像用の映像を分離して視聴者の左目に左目用映像を入射する左目用偏光板と、
前記右目用偏光板と前記左目用偏光板を該偏光板の面の法線に平行な直線を回転軸として該偏光板を周方向にそれぞれ回転させる回転手段と
を有する立体映像用眼鏡。
【請求項２】
前記回転手段は、前記立体映像用眼鏡が水平線に対して傾いたとき、傾いた角度を補正するように該偏光板をそれぞれ回転させる請求項１記載の立体映像用眼鏡。
【請求項３】
前記回転手段は、前記右目用偏光板と前記左目用偏光板を略同じ角度を補正する請求項２記載の立体映像用眼鏡。
【請求項４】
前記右目用偏光板と前記左目用偏光板の前記表示装置側に液晶シャッタが其々設置されている請求項１または請求項２記載の立体映像用眼鏡。
【請求項５】
前記回転手段は、前記右目用偏光板と前記左目用偏光板の周囲の一部に設置された歯車の歯と、前記歯と噛合するラックが設置されたスライダとによって構成されている請求項１乃至請求項４のいずれか１項に記載の立体映像用眼鏡。
【請求項６】
前記回転手段は、前記右目用偏光板と前記左目用偏光板の周囲の一部に設置された錘を有する請求項１乃至請求項４のいずれか１項に記載の立体映像用眼鏡。
【請求項７】
前記回転手段は、前記右目用偏光板と前記左目用偏光板の周囲の一部に設置された歯車の歯と複数の歯車とモータとによって構成されており、
前記立体映像用眼鏡の傾きを検出する傾き検出手段と、
前記傾きの大きさに応じてモータの回転を制御する制御手段と
を有する請求項１乃至請求項４記載のいずれか１項に記載の立体映像用眼鏡。
【発明の詳細な説明】
【技術分野】
【０００１】
本発明の実施形態は、立体映像を観賞する際に使用する立体映像用眼鏡に関する。
【背景技術】
【０００２】
近年、立体映像のコンテンツの視聴が可能なフラットパネルディスプレイが実用化されている。立体映像の表示の方式に関して種々提案されているが、その中で偏光フィルタ眼鏡や電子シャッタ眼鏡を用いる眼鏡方式がある。
【０００３】
偏光フィルタ眼鏡を用いた方式は、左右の映像に、例えば、直交する直線偏光をかけて重ねて投影し、これを左右で直交する偏光フィルタの付いた眼鏡により左右の映像に分離することにより、視差のある映像を交互に左右の目に表示することで立体的に見せる方式である。
【０００４】
電子シャッタ眼鏡には、映像と連動するシャッタが組み込まれていて、ディスプレイに右目用の映像が表示されたときは、眼鏡の左目のシャッタが閉じて右目のシャッタが開くので、右目用の映像だけが見える。左目用の映像が表示されたときは、その逆に眼鏡の右目のシャッタが閉じて左目のシャッタが開くので、左目用の映像だけが見える。ディスプレイに表示する映像に同期して電子的に眼鏡のシャッタを閉じたり開いたりすることで、視差のある映像を交互に左右の目に見せる。
【先行技術文献】
【特許文献】
【０００５】
【特許文献１】特開２００１−２９６５０１号公報
【発明の概要】
【発明が解決しようとする課題】
【０００６】
液晶表示パネルの様な表示装置には偏光板が用いられており、偏光された光を偏光フィルタ眼鏡あるいは電子シャッタ眼鏡の偏光板にて透過または遮断することで、左右の目で異なる映像を見ることができる。偏光板が用いられた表示装置と偏光フィルタ眼鏡あるいは電子シャッタ眼鏡には傾きがないことが前提であり、液晶表示パネルに対して眼鏡が傾くと、液晶表示パネル側の偏光角と眼鏡側の偏光角がずれて画面が暗くなってしまう。
【０００７】
本発明の目的は、上記したような事情に鑑み成されたものであって、表示装置に対して立体映像用眼鏡が傾いた場合でも画面が暗くなることを防ぐことのできる立体映像用眼鏡を提供することである。
【課題を解決するための手段】
【０００８】
上記目的を達成するために、実施形態によれば、立体映像用眼鏡は、表示装置に表示された立体映像用の映像を分離して視聴者の右目に右目用映像を入射する右目用偏光板と、前記表示装置に表示された前記立体映像用の映像を分離して視聴者の左目に左目用映像を入射する左目用偏光板と、前記右目用偏光板と前記左目用偏光板を該偏光板の面の法線に平行な直線を回転軸として該偏光板を周方向にそれぞれ回転させる回転手段とを有する。
【図面の簡単な説明】
【０００９】
【図１】表示装置と立体映像用眼鏡との間の偏光の状態を示した図。
【図２】第１の実施形態に係る立体映像用眼鏡の概観斜視図。
【図３】第１の実施形態に係る立体映像用眼鏡の回転手段を示した図。
【図４】立体映像用眼鏡が水平状態から傾いた状態における偏光板の補正状態を示した図。
【図５】第２の実施形態に係る立体映像用眼鏡の概観斜視図。
【図６】第２の実施形態に係る立体映像用眼鏡の回転手段を示した図。
【図７】立体映像用眼鏡が水平状態から傾いた状態における偏光板の補正状態を示した図。
【図８】第３の実施形態に係る立体映像用眼鏡の概観斜視図。
【図９】第３の実施形態に係る立体映像用眼鏡の回転手段を示した図。
【図１０】第３の実施形態に係る立体映像用眼鏡を別の方向から見た概観斜視図。
【図１１】第３の実施形態に係る立体映像用眼鏡のブロック図。
【図１２】偏光板と液晶シャッタが組み合わされた偏光板の例を示した図。
【図１３】立体映像用眼鏡が水平状態から傾いた状態における偏光板の補正状態を示した図。
【発明を実施するための形態】
【００１０】
以下実施形態について図面を参照しながら説明する。
【００１１】
（第１の実施形態）
図１は、表示装置１と立体映像用眼鏡４との間の偏光の状態を示した図である。表示装置１の内部に液晶素子２と偏光板３が配置されている。液晶素子２の動作モード（液晶配向の変化）によって偏光状態が変化し液晶素子２からＰ偏光あるいはＳ偏光が出射される。偏光板３がＳ偏光を通過させるフィルタであれば、図１に示すように、表示装置１からＳ偏光の光が出射される。また逆に偏光板３がＰ偏光を通過させるフィルタであれば、表示装置１からＰ偏光の光が出射される。
【００１２】
立体映像用眼鏡４の内部には、偏光板５、液晶シャッタ６が配置されている。表示装置１から出射された光は立体映像用眼鏡４に入射し、液晶シャッタ６、偏光板５を通過して視聴者の目７に到達する。液晶シャッタ６の液晶配向を変化させてＳ偏光を出射しないようにすると偏光板５を通過せず、シャッタが閉じた状態となり、視聴者の目７に表示装置１からの光は到達しない。
【００１３】
表示装置１から出射されたＳ偏光の光に対して、Ｓ偏光を通過させる偏光板５が傾くと、偏光板５を通過する光量は減少し、視聴者の目７には画面が暗く見える。角度が９０度傾くと通過する光量は略ゼロとなる。従って、表示装置１に対して立体映像用眼鏡４が傾かないようにして使用することが前提となる。
【００１４】
しかしながら、視聴者が立体映像用眼鏡４を傾かないように維持することは困難であり、立体映像用眼鏡４が傾いた場合でも、この傾きを補正するように回転させて偏光板５自体が、水平線に対して傾かないようにすればよい。また、偏光板５と液晶シャッタ６を同時に回転させて、偏光板５と液晶シャッタ６が傾かないようにすればよい。
【００１５】
図２は、第１の実施形態に係る立体映像用眼鏡４の概観斜視図である。立体映像用眼鏡４は、前面の主要部であるフロント９、右目用窓１０ａ、左目用窓１０ｂ、右目用偏光板１１ａ、左目用偏光板１１ｂ、フロント９の下部分で偏光板１１の下側部分を覆うリム１２ａ、１２ｂ、フロント９の中央部分を占めるブリッジ１３、フロント９の両側にあってテンプルと接続する部分であるよろい１４ａ、１４ｂ、テンプル１５ａ、１５ｂによって構成されている。テンプル１５ａ、１５ｂは、よろい１４ａ、１４ｂに蝶番１６ａ、１６ｂによって回動可能に取り付けられており、テンプル１５ａ、１５ｂは折り畳むことができる。尚、右目用偏光板１１ａと左目用偏光板１１ｂの外側に液晶シャッタ（図示せず）が、該偏光板と一体的に其々設置されていてもよい。
【００１６】
ブリッジ１３の上部には、右目用偏光板１１ａと左目用偏光板１１ｂを手動で回転させるためのレバー１７が設けられている。また、レバー１７が動作する範囲にはレバー窓１８が配置されている。
【００１７】
図３は、立体映像用眼鏡４の偏光板１１の回転手段１９を示した図である。フロント９、右目用窓１０ａ、左目用窓１０ｂやテンプル１５ａ、１５ｂ等は想像線（二点差線）で示されている。フロント９の内部には、右目用偏光板１１ａ、左目用偏光板１１ｂおよびスライダ２０が設置されている。
【００１８】
右目用偏光板１１ａの外周部の一部には歯車歯２１ａ、左目用偏光板１１ｂの外周部の一部には歯車歯２１ｂが設けられている。歯車歯２１ａ、２１ｂは、偏光板１１の枠体に機械加工で製作してもよいし、また射出成型による一体成型で製作してもよい。右目用偏光板１１ａ、左目用偏光板１１ｂは、フロント９の内部で該偏光板の面の法線に平行な直線を回転軸としてフロント９内でそれぞれ回転可能となっている。図３においては、略円形の偏光板１１ａ、１１ｂの其々の略中心点を通る法線を回転軸として回転可能となっている。
【００１９】
フロント９の内部には、偏光板１１の面と平行な方向の平行移動を制限する図示しない隔壁と偏光板１１の面に垂直な方向（法線方向）の平行移動を制限する図示しない隔壁が偏光板の両側に設けられており、これら隔壁内で偏光板はその周方向にそれぞれ回転可能となっている。
【００２０】
スライダ２０の右目用偏光板１１ａ、左目用偏光板１１ｂと対向する面には、ラック歯２２が設けられている。ラック歯２２は、スライダ２０の本体に機械加工で製作してもよいし、また射出成型による一体成型で製作してもよい。ラック歯２２は、歯車歯２１ａ、歯車歯２１ｂとそれぞれ噛合している。
【００２１】
スライダ２０は、フロント９の内部で長手方向に移動可能であり、人手によって、レバー１７を操作することにより動かすことができる。フロント９の内部には、スライダ２０の長手方向に垂直な方向の平行移動を制限する図示しない隔壁が設けられており、これら隔壁内でスライダ２０は長手方向に移動することができる。人手によって、レバー１７を操作してスライダ２０を移動すると、右目用偏光板１１ａ、左目用偏光板１１ｂを同時に略同じ角度回転させることができる。
【００２２】
図４は、立体映像用眼鏡４が水平状態から傾いた状態における偏光板の補正状態を示した図である。視聴者が立体映像用眼鏡４を装着している状態で視聴者側から立体映像用眼鏡４を見た図である。図４（ａ）は、立体映像用眼鏡４が水平状態にあるときを示している。図４（ｂ）は、右目側が下がる方向に（または左目側が上がる方向に）傾いた状態を示している。
【００２３】
図４（ａ）においては、立体映像用眼鏡４に対して右目用偏光板１１ａ、左目用偏光板１１ｂは回転していない。このときスライダ２０はフロント９の略中央にあり、レバー１７も同様にフロント９の略中央に位置している。
【００２４】
図４（ｂ）において、立体映像用眼鏡４が水平線２３に対して角度がＸ度傾いたとき、人手によってスライダ２０をＡ方向に移動して、立体映像用眼鏡４が傾いた角度を補正するように該偏光板を面内方向にそれぞれ回転させる。スライダ２０の移動によって、右目用偏光板１１ａ、左目用偏光板１１ｂをそれぞれＸ度回転させて、偏光板１１が水平線２３に対して傾いていない状態を維持する。このようにすることによって、表示装置１に対して立体映像用眼鏡４が傾いた場合でも画面が暗くなることを防ぐことができる。
【００２５】
スライダ２０とフロント９の間には適度な摩擦力が作用するようにすれば、重力の作用のみでスライダ１９が移動するようなことはない。
【００２６】
（第２の実施形態）
図５は、第２の実施形態に係る立体映像用眼鏡３０の概観斜視図である。この第２の実施形態の各部について、図２に示す第１の実施形態の各部と同一部分は同一符号である。立体映像用眼鏡３０は、前面の主要部であるフロント３１、右目用窓３２ａ、左目用窓３２ｂ、右目用偏光板３３ａ、左目用偏光板３３ｂ、フロント３１の下部分で偏光板３３の下側部分を覆うリム３４ａ、３４ｂ、フロント３１の中央部分を占めるブリッジ３５、フロント３１の両側にあってテンプルと接続する部分であるよろい３６ａ、３６ｂ、テンプル３７ａ、３７ｂによって構成されている。テンプル３７ａ、３７ｂは、よろい３６ａ、３６ｂに蝶番３８ａ、３８ｂによって回動可能に取り付けられており、テンプル３７ａ、３７ｂは折り畳むことができる。尚、右目用偏光板３３ａと左目用偏光板３３ｂの外側に液晶シャッタ（図示せず）が、該偏光板と一体的に其々設置されていてもよい。
【００２７】
図６は、第２の実施形態に係る立体映像用眼鏡３０の回転手段３９を示した図である。
フロント３１、右目用窓３２ａ、左目用窓３２ｂやテンプル３７ａ、３７ｂ等は想像線（二点差線）で示されている。フロント３１の内部には、右目用偏光板３３ａ、左目用偏光板３３ｂが設置されている。
【００２８】
右目用偏光板３３ａの外周部の一部には錘４０ａ、左目用偏光板３３ｂの外周部の一部には錘４０ｂが設けられている。錘４０ａ、４０ｂは、金属材料あるいは合成樹脂材料に比較して比重の大きい材料であり、例えば鉄鋼、黄銅等の比重の大きい金属材料が好適である。偏光板は合成樹脂製であり、錘４０ａ、４０ｂは、偏光板３３ａ、３３ｂの外周部を構成している枠体の一部に埋め込まれるか、または接着されている。
【００２９】
右目用偏光板３３ａ、左目用偏光板３３ｂは、フロント３１の内部で該偏光板の面の法線に平行な直線を回転軸としてフロント３１でそれぞれ回転可能となっている。図６においては、略円形の偏光板３３a、３３ｂの其々の略中心点を通る法線を回転軸として回転可能となっている。
【００３０】
フロント３１の内部には、偏光板３３の面と平行な方向の平行移動を制限する図示しない隔壁と偏光板の面に垂直な方向（法線方向）の平行移動を制限する図示しない隔壁が偏光板の両側に設けられており、それら隔壁内で偏光板はその周方向にそれぞれ回転可能となっている。また、フロント３１の該隔壁と偏光板３３の外周は互いに摩擦係数が小さな材料を用いたりベアリングを挿入することにより、偏光板３３は周方向に滑らかに回転する状態となっている。
【００３１】
図７は、立体映像用眼鏡３０が水平状態から傾いた状態における偏光板の補正状態を示した図である。視聴者が立体映像用眼鏡３０を装着している状態で視聴者側から立体映像用眼鏡３０を見た図である。図７（ａ）は、立体映像用眼鏡３０が水平状態にあるときを示している。図７（ｂ）は、右目側が下がる方向に（または左目側が上がる方向に）傾いた状態を示している。
【００３２】
図７（ａ）において、立体映像用眼鏡３０に対して右目用偏光板３３ａ、左目用偏光板３３ｂは回転していない。図７（ｂ）において、立体映像用眼鏡３０が水平線２３に対して角度がＹ度傾くと、偏光板３３の錘４０ａ、４０ｂに働く重力によって、錘４０ａ、４０ｂは、鉛直下向きの力を受けて、傾いた角度を補正するように該偏光板が面内方向に右目用偏光板３３ａと左目用偏光板３３ｂはそれぞれ回転し、錘が最も下に移動したところで回転を停止する。このようにして、偏光板３３は水平線２３に対して傾いていない状態を維持することができ、表示装置１に対して立体映像用眼鏡３０が傾いた場合でも画面が暗くなることを防ぐことができる。
【００３３】
（第３の実施形態）
図８は、第３の実施形態に係る立体映像用眼鏡５０の概観斜視図である。この第３の実施形態の各部について、図１に示す第１の実施形態の各部と同一部分は同一符号である。立体映像用眼鏡５０は、前面の主要部であるフロント５１、右目用窓５２ａ、左目用窓５２ｂ、右目用偏光板５３ａ、左目用偏光板５３ｂ、フロント５１の下部分で偏光板５３の下側部分を覆うリム５４ａ、５４ｂ、フロント５１の中央部分を占めるブリッジ５５、フロント５１の両側にあってテンプルと接続する部分であるよろい５６ａ、５６ｂ、テンプル５７ａ、５７ｂによって構成されている。テンプル５７ａ、５７ｂは、よろい５６ａ、５６ｂに蝶番５８ａ、５８ｂによって回動可能に取り付けられており、テンプル５７ａ、５７ｂは折り畳むことができる。
【００３４】
図９は、第３の実施形態に係る立体映像用眼鏡５０の回転手段５９を示した図である。フロント５１、右目用窓５２ａ、左目用窓５２ｂやテンプル５７ａ、５７ｂ等は想像線（二点差線）で示されている。フロント５１、よろい５６ａ、テンプル５７ａの内部には、右目用偏光板５３ａ、左目用偏光板５３ｂを含む回転手段５９の構成部品が設置されている。
【００３５】
右目用偏光板５３ａの外周部の一部には歯車歯６５ａ、左目用偏光板５３ｂの外周部の一部には歯車歯６５ｂ、６５ｃが設けられている。歯車歯６５ａ、６５ｂ、６５ｃは、偏光板５３ａ、５３ｂの枠体に機械加工で製作してもよいし、また射出成型による一体成型で製作してもよい。右目用偏光板５３ａ、左目用偏光板５３ｂは、フロント５１の内部で該偏光板５３の法線に平行な直線を回転軸として該偏光板の面内方向にそれぞれ回転可能となっている。図９においては、略円形の偏光板５３ａ、５３ｂの其々の略中心点を通る法線を回転軸として回転可能となっている。
【００３６】
右目用偏光板５３ａ、左目用偏光板５３ｂは、モータ６６の動力によって回転する。モータ６６が回転すると、モータ６６の回転軸に連結したウォーム歯車６７が回転し、小歯車６８が回転する。モータはフロント５１の内部に固定されており、また、小歯車６８の回転軸はフロント５１の内部でフロント５１に固定されている。小歯車６８の歯は左目用偏光板５３ｂの歯車歯６５ｃと噛合しており、モータ６６が回転すると左目用偏光板５３ｂが回転する。モータ６６は、例えばステッピングモータが好適である。
【００３７】
左目用偏光板５３ｂには外周の反対側に歯車歯６５ｂが設けられており、歯車歯６５ｂは、小歯車６９ｂの歯と噛合している。小歯車６９ａ、６９ｂ、６９ｃは、其々の回転軸はフロント５１の内部でフロント５１に固定されており、其々の歯は噛合している。小歯車６９ａと６９ｂの歯数は同等である。小歯車６９ｃの歯数は、小歯車６９ａと６９ｂと同じでもよいし、異なっていてもよい。小歯車６９ａの歯は、右目用偏光板５３ａの歯車歯６５ａと噛合している。
【００３８】
左目用偏光板５３ｂが回転すると、小歯車６９ｂ、６９ｃ、６９ａが回転し、右目用偏光板５３ａが回転する。左目用偏光板５３ｂと右目用偏光板５３ａは同じ方向に回転し、また、その回転角は同等である。
【００３９】
フロント５１の内部には、右目用偏光板５３ａ、左目用偏光板５３ｂの面と平行な方向の平行移動を制限する図示しない隔壁と偏光板５３ａ、５３ｂの面に垂直な方向（法線方向）の平行移動を制限する図示しない隔壁が偏光板の両側に設けられており、それら隔壁内で偏光板はその周方向にそれぞれ回転可能となっている。
【００４０】
フロント５１、よろい５６ａ、テンプル５７ａの内部には、制御部６０、受信部６１、傾き検出器６３、モータ６６、校正部検出器７１の回路やこれら回路に電源を供給する電池６２等が納められている。
【００４１】
制御部６０は、傾き検出器６３からの立体映像用眼鏡５０の水平線に対する傾き量の信号を受けて、偏光板５３ａ、５３ｂの補正角を算出し、この算出した補正角に基づいてモータの回転数を算出してモータ６６の回転を制御する。受信部６１は、表示装置１から送出された制御信号を受信する。電池６２は、各構成要素に動作用電源を供給する。傾き検出器６３は、立体映像用眼鏡５０の水平位置からの傾き量を検出するセンサである。校正部検出器７１は、右目用偏光板５３ａの外周に設けられた校正部７０の有無を検出する。
【００４２】
図１０は、第３の実施形態に係る立体映像用眼鏡５０を別の方向から見た概観斜視図である。立体映像用眼鏡５０のよろい５６ａには、電源スイッチ７２が設けられている。
【００４３】
図１１は、第３の実施形態に係る立体映像用眼鏡５０のブロック図である。制御部６０は、一つの集積回路にコンピュータシステムをまとめた組み込み用のマイクロプロセッサであるＭＣＵ（Micro Controller Unit）を含み、ＲＯＭやＲＡＭ、Ｉ／Ｏ関連などの周辺機能を搭載しており、立体映像用眼鏡５０全体の動作を制御する。
【００４４】
傾き検出器６３は、傾き量を検出するセンサである。ホール素子と磁石を応用したものや液体と静電容量センサを用いたもの等種々の傾斜センサがある。立体映像用眼鏡５０の水平位置から傾きの大きさに応じて所定の大きさの信号を出力する。制御部６０は、傾き検出器６３の出力信号を受信し、偏光板５３ａ、５３ｂの傾き補正角を算出する。
【００４５】
校正部検出器７１は、右目用偏光板５３ａの外周に設けられた校正部７０の有無を検出するために設けられたもので、校正部７０が校正部検出器７１の検出範囲にあるとき、検出信号を出力する。制御部６０は校正部検出器７１の検出信号を受けて右目用偏光板５３ａが、初期位置にあるか否かを確認する。初期位置とは、校正部７０が校正部検出器７１の検出範囲にある位置である。電源スイッチ７２が入ると制御部６０は、右目用偏光板５３ａが、初期位置にあるか否かを確認し、初期位置でない場合には、モータ６６を回転させて右目用偏光板５３ａが初期位置となるようにする。その後に傾きの大きさに応じてモータを回転させる。
【００４６】
受信部６１は、表示装置１から送出された制御信号を受信し、受信検出信号を制御部６０に出力する。制御部６０は、受信検出信号に基づいて液晶シャッタ７４のシャッタの開閉動作を制御する。
【００４７】
図１２は、偏光板と液晶シャッタが組み合わされた偏光板の例を示した図である。本実施形態においては、右目用偏光板５３ａと液晶シャッタ７４ａを組み合わせた偏光板（図１２（ａ））、左目用偏光板５３ｂと液晶シャッタ７４ｂを組み合わせた偏光板（図１２（ｂ））を用いてもよい。
【００４８】
図１３は、立体映像用眼鏡５０が水平状態から傾いた状態における偏光板５３ａ、５３ｂの補正状態を示した図である。視聴者が立体映像用眼鏡５０を装着している状態で視聴者側から立体映像用眼鏡５０を見た図である。図１３（ａ）は、立体映像用眼鏡５０が水平状態にあるときを示している。図１３（ｂ）は、右目側が上がる方向に（または左目側が下がる方向に）傾いた状態を示している。
【００４９】
図１３（ａ）においては、立体映像用眼鏡５０に対して右目用偏光板５３ａ、左目用偏光板５３ｂは回転していない。このとき右目用偏光板５３ａの外周に設けられた校正部７０は、フロント５１に設置された校正部検出器７１の位置にある。
【００５０】
図１３（ｂ）において、立体映像用眼鏡５０が水平線２３に対して角度がＺ度傾いたとき、制御部６０が、モータ６６を回転させて立体映像用眼鏡５０が傾いた角度を補正するように右目用偏光板５３ａ、左目用偏光板５３ｂを周方向に回転させる。偏光板５３ａ、５３ｂをそれぞれＺ度回転させて、偏光板５３ａ、５３ｂが水平線に対して傾いていない状態とする。このようにすることによって、表示装置１に対して立体映像用眼鏡５０が傾いた場合でも画面が暗くなることを防ぐことができる。
【００５１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００５２】
１  表示装置
２  液晶素子
３  偏光板
４  立体映像用眼鏡
５  偏光板
６  液晶シャッタ
９  フロント
１０ａ  右目用窓、１０ｂ  左目用窓
１１ａ  右目用偏光板、１１ｂ  左目用偏光板
１２ａ、１２ｂ  リム
１３  ブリッジ
１４ａ、１４ｂ  よろい
１５ａ、１５ｂ  テンプル
１６ａ、１６ｂ  蝶番
１７  レバー
１９  回転手段
２０  スライダ
２１ａ、２１ｂ  歯車歯
２２  ラック歯
３０  立体映像用眼鏡
３１  フロント
３３ａ  右目用偏光板、３３ｂ  左目用偏光板
３９  回転手段
４０ａ、４０ｂ  錘
５０  立体映像用眼鏡
５１  フロント
５３ａ  右目用偏光板、５３ｂ  左目用偏光板
５９  回転手段
６０  制御部
６１  受信部
６２  電池
６３  傾き検出器
６５ａ、６５ｂ、６５ｃ  歯車歯
６６  モータ
６７  ウォーム歯車
６８  小歯車
６９ａ、６９ｂ、６９ｃ  小歯車
７０  校正部
７１  校正部検出器
７２  電源スイッチ
７４  液晶シャッタ
【図１】
2012032642.tif 000003
【図２】
2012032642.tif 000004
【図３】
2012032642.tif 000005
【図４】
2012032642.tif 000006
【図５】
2012032642.tif 000007
【図６】
2012032642.tif 000008
【図７】
2012032642.tif 000009
【図８】
2012032642.tif 000010
【図９】
2012032642.tif 000011
【図１０】
2012032642.tif 000012
【図１１】
2012032642.tif 000013
【図１２】
2012032642.tif 000014
【図１３】
2012032642.tif 000015